(57)【要約】      （修正有）【課題】工事現場において多種多様なヒューマンエラー等による、事故・災害を未然に防止し、緊急事態などを素早く周囲に知らせて被害を最小限に留める機能を備え、簡単に操作が出来るヘルメットを提供する。【解決手段】ヘルメット外側面に設けられた着脱自在の制御ユニットと、ヘルメット最頂部に設けられたフラッシュランプ２２、ヘルメットつば先に設けたフラッシュランプ２１からなる。制御ユニットには緊急時ボタン１６と緊急時ブザー２０、肉声録音装置、タイマー１７、スピーカー１９からなり、緊急時は緊急時ボタン１６を押圧すると緊急時ブザー２０が鳴り、同時にヘルメット最頂部のフラッシュランプ２２が作動し事故・災害発生を他作業員に知らせる。肉声録音装置は、再生間隔をタイマーにて設定し、設定した時間毎に録音した肉声が流れる、と同時にヘルメットつば先に設けたフラッシュランプ２１が発光し注意喚起を行う構造とした。【選択図】図１
2011208328.tif 000002
【特許請求の範囲】
【請求項１】
作業用ヘルメットにおいて、ヘルメットの最頂部に設けたフラッシュランプと、ヘルメット外側面に着脱自在に取り付けられた制御ユニットを具備し、この制御ユニットには、緊急ボタンと緊急ブザーを設け、緊急時に緊急ボタンが押されたと同時にフラッシュランプとブザーを同時に作動させるように構成したことを特徴とするヘルメット。
【請求項２】
作業用ヘルメットにおいて、ヘルメットの外側面に着脱自在に取り付けられる制御ユニットに取り付けらた録音装置、タイマー、およびスピーカーを一体的に設け、この録音装置には作業前に注意事項を肉声録音し、作業中にタイマーにより設定した時間毎に録音内容を自動的に再生するように構成したことを特徴とするヘルメット。
【請求項３】
請求項２に掲げるヘルメットにおいて、前記ヘルメットつば先に取り付けられたフラッシュランプと前記ヘルメット外側面に取り付けられた前記制御ユニットからなり、作業前に肉声録音した注意事項が前記タイマーにより再生されると同時に、前記ヘルメットつば先に取り付けられた前記フラッシュランプが発光するように構成したことを特徴とするヘルメット。
【発明の詳細な説明】
【技術分野】
【０００１】
本発明は、工事現場で多発する事故及び、災害を防止し被害を最小限に留めるヘルメットに関する。
【背景技術】
【０００２】
工事現場においては、水道管、ガス管、電線などの地下埋設物又は、光ケーブル、通信線、高圧電線などの架空物などが張り巡らされている。そのような環境の中で重機掘削、クレーン作業など慎重に行う作業が多い。それらの管、線と接触し切断すると周辺住民の生活はもちろん都市機能の混乱、過失を犯した作業員や近くに居た作業員の生命が失われる危険性が高くなっている。
【０００３】
上記事故や災害を防止するために、重機オペレーターや作業員へ作業時の注意事項を、作業に先立って行う安全ミーティングや、危険に対する注意事項を一定時間毎に呼びかけを行う装置などが特許文献１および２に開示されている。
【先行技術文献】
【特許文献】
【０００４】
【特許文献１】特開平１１−１３９２０６号公報
【特許文献２】特開２００５−１５８０４１号公報
【発明の概要】
【発明が解決しようとする課題】
【０００５】
特許文献１に示されているものは、連続した一人作業中の作業者に対し、一定時間毎に録音した上記注意事項を音声にて呼びかけを行うものであるが、電源の供給手段が車等からに限定されたものであり、作業範囲が特定されてしまう。
【０００６】
また、特許文献２に示されているものは、上記注意事項をパソコンを使用して録音することが必須なので、パソコンが無い作業現場や、使うことができない作業者には不向きである。
【０００７】
何よりも一人作業や他作業員と離れた作業の場合、万が一、自身に何かあった場合、特に痛みなどで大声が出せない状況では、他作業員や周辺の人などに助けを求めることが出来ず、被害が拡大してしまうこととなってしまう。
【０００８】
本発明は、どのような装置をつかっても人間である以上、なかなか無くならないヒューマンエラーによる事故や災害を、各種作業、老若男女問わず、誰にでも簡単に使用でき、未然に防止することはもちろん、発生してしまった事故や災害を最小限に留めることを目的とするものである。
【課題を解決するための手段】
【０００９】
本発明は、上記目的を達成するために、第1の解決手段として、ヘルメットの外側に着脱自在に取り付けられる制御ユニットを有し、このユニットには、緊急ボタンと緊急ブザーを設け、緊急時にボタンを押圧するだけで緊急事態をブザーにより周囲にしらせることができる。又緊急ボタンを押圧と同時に、ヘルメット頂点部よりフラッシュランプが点灯し、音と光により緊急事態発生したことを周囲にしらせることができる構造としたものである。
【００１０】
また、第２の解決手段としては、注意事項を録音する際、ボタンを押圧しながら注意事項を肉声にて録音をするだけの構造としたもので、簡単に設定できるものでさらに視覚からも注意事項を認識できるよう、視覚に一番入りやすいヘルメットのつば先に注意事項の録音再生と同時にフラッシュランプが点灯する構造としたものである
さらに、第３の解決手段としては、電力供給手段を乾電池とし何処でも使用できるようにした構造としたものである。
【発明の効果】
【００１１】
上述したように本発明のヘルメットは、簡単な操作でどのような場所でも任意設定時間毎、注意事項が聴覚と視覚から確認をすることができ、事故を未然に防止することができ、万が一、緊急事態が発生した場合、すばやく簡単に音と光によって、他作業員や周囲の人に知らせることが可能なので、被害を最小限に留めることができる。
【図面の簡単な説明】
【００１２】
【図１】ヘルメットの正面図
【図２】ヘルメットの側面装着図
【図３】ヘルメットの上面図
【図４】ヘルメットの下面図
【図５】ヘルメットの概要を示す概略構成図
【図６】ヘルメットの使用フロー図
【発明を実施するための形態】
【００１３】
以下、本発明の実施の形態を図１から図６に基づいて説明する。
【００１４】
図１から図５において１２は、電源入切ボタン、１３は、装置使用確認ランプ、１４は、肉声録音時押圧するボタン、１５は、録音内容を確認再生するボタン、１７は、肉声録音再生間隔時間を設定するダイヤル、１８は、注意事項を録音する為のマイク、１９は、肉声録音を再生するスピーカーである。
【００１５】
１６は、緊急時押圧するボタン、２０は、緊急時  １６のボタン押圧と同時に鳴るブザーのスピーカー、１１は、装置本体の電源である乾電池を内蔵するボックス、２１は、注意事項肉声再生に発光するフラッシュランプ、２２は、緊急時ブザーと同時に発光するフラッシュランプ、１はヘルメット本体、２は、このヘルメットのつばである。
【００１６】
２４は、装置本体を上記ヘルメットへ取り付けるブラケットである。
【００１７】
以下、本ヘルメットを使用する手順を図６を参照して説明する。
A）図２のように装置本体を取り付けブラケットを用い、ヘルメットの側面溝へ装着する。
B）録音内容再生時に同時に発光するフラッシュランプを図１、図４のようにヘルメットつば先に固定する。
C）緊急時ボタンと同時に発光するフラッシュランプをヘルメット上部へ固定する。
D）電源ボタン１２を押し、装置本体の使用確認ランプ１３が点灯しているのを確認する。
E）肉声録音時押圧ボタン１４を押したまま１０秒以内にマイク１８に向かって注意事項などを吹き込み終わったら肉声録音時押圧ボタン１４を離す。
F）録音内容確認ボタン１５を押すと録音した肉声が再生され、内容を確認する。同時にフラッシュランプ２１が発光しているかも確認する。
G）タイマー設定ダイヤル１７にて肉声録音再生間隔時間、６秒〜６０分を任意に設定する。
【００１８】
事故防止装置機能の設定は以上である。G）で設定した肉声録音再生間隔時間になると、録音した注意事項が再生されると同時にヘルメットつば先に取り付けた、フラッシュランプが発光し、聴覚と視覚で注意事項を忘れず作業が遂行できる。
【００１９】
次に、万が一起きてしまった緊急事態を最小限に留める、緊急時報知装置機能の使用方法を説明する。
H）緊急時押圧ボタン１６を押す。
I）上記ボタンを押したと同時にスピーカー２０からブザーが発せられ、更にフラッシッランプ２２が発光し、音と光で緊急事態が発生したことを周囲に知らせることができる。
【００２０】
次に、本ヘルメットの一実施例の発明の効果を、事例を用い説明する。
【００２１】
工事現場にて、作業開始前の作業内容ミーティングを経て、それぞれの作業の危険ポイントや、注意事項を現場管理者、責任者、作業員みんなで話し合い、危険ポイントの唱和を行いそれぞれの作業に取り掛かる。以下はその中の事例になる。
【００２２】
本日の作業は、マンホール内での補修作業を行う内容で、マンホール構内は、狭いので一人で入構し、地上には、材料受け渡しや連絡係の作業員一人の計二人で実施する状況である。
【００２３】
作業開始前に危険ポイントを打ち合わせした際、天気が下り坂の予報なので、入構する作業員は、足元にながれている水の増水を確認することを危険ポイントとし、本装置を用い、足元の増水を確認すると肉声録音し危険度が高いので再生間隔時間を３分と設定した。さらに地上作業員へ緊急事態が起こったら緊急事態発生ボタンを押すので、自分を確認して欲しい旨を伝えた。
【００２４】
地上作業員は、マンホール構内で作業している作業員の安否確認を本日の危険ポイントとし、「○○さんと空模様を確認する」と肉声録音を行い、周囲作業員に緊急ブザーが鳴ったら駆けつけて欲しい旨を伝えた。
【００２５】
上記内容で作業にとりかかった。作業中は、設定時間毎に録音した内容が再生されるとともにフラッシュランプ発光により注意事項を再確認でき、その都度定期的に足元の増水の確認や天気の状況を確認することで降雨により水量が少しずつ増していることに気づきこれ以上の作業は危険との判断ができ、作業中止することになったが作業員がマンホールからでる時に梯子から足を滑らし転落した事に地上作業員は気づかなかった。転落した作業員は大声が出せない状況に陥った為、本装置の緊急ボタンを押圧しブザーを鳴らした。地上作業員はその音に気付きマンホール内を覗いた際に暗いマンホールの中で緊急時ボタンと同時に発光するフラッシュランプが点灯していたため、転落した作業員の位置も確認でき、素早く救護をすることができた。
【００２６】
ヘルメット型緊急時支援及び事故防止装置を使用していなかったら、作業に夢中になり足元の水量の変化に気づくのが遅くなり、大変な事故になっていたかも知れない。更に、転落した作業員にも気付かず、時間が経ってしまい増水が始まって悲惨な事故になっていたかも知れない。
【００２７】
他事例はパワーショベルを使用し土砂掘削作業で、重機に乗るオペレーターは、作業場所を確認した際、作業半径内に光ケーブルなどの通信線や送電線があることから、本ヘルメットへ「上空に電線あり」と肉声録音を行った。作業は順調に経過していたが、本日の予定掘削量に届かないペースと現場管理者から通告があり、オペレーターは追いつこうと急いで作業を行いはじめた。この時、上空に電線があることを忘れ始めていて、掘削量の事で頭の中でいっぱいになりつつある状況で、本装置から「上空に電線あり」と録音再生とフラッシュランプ発光により電線があることを再確認でき、冷静な作業を行うことができたが、予定掘削量には少し及ばなかった。
【００２８】
上記のように作業中に新しい要素が頭の中に入ってくると、今まで注意してきた事をだんだん忘れてしまい、今の今まで気を付けて安全作業を行っていたのに、電線などを重機で切断する事故を起こしてしまう。電線、通信線等は、近年インターネット等が盛んで、もし切断してしまったら、損害賠償などは計り知れないと共に、今後の工事受注活動にも大きく影響を及ぼしてしまう。考えただけでもぞっとする。
【００２９】
上記２例は、もし災害が起きてしまったら本当に重大な災害になってしまう。「・・・してたら、・・・してれば」では済まないことが、ヒューマンエラーにより起きてしまう。
【符号の説明】
【００３０】
１・・・ヘルメット
２・・・ヘルメットつば
３・・・緊急フラッシュランプ・緊急ブザー制御装置
１１・・・電源
１２・・・電源入切ボタン
１４・・・録音ボタン
１５・・・再生ボタン
１６・・・緊急ボタン
１７・・・タイマー
１８・・・マイク
１９・・・スピーカー
２０・・・緊急ブザー
２１・・・ヘルメットつば先フラッシュランプ
２２・・・緊急フラッシュランプ
２４・・・着脱用クリップ
【図１】
2011208328.tif 000003
【図２】
2011208328.tif 000004
【図３】
2011208328.tif 000005
【図４】
2011208328.tif 000006
【図５】
2011208328.tif 000007
【図６】
2011208328.tif 000008